(57)【要約】      （修正有）【課題】従来の垂直循環式機械駐車装置を大きな構造変更を行わず、比較的容易に新たな機械駐車装置に更新する機械駐車装置リプレース方法及びリプレース型機械駐車装置の提供。【解決手段】既存の垂直循環式機械駐車装置で主要構成要素を吊り下げていた受部と同位置の受部で昇降ガイドレール及び吊柱を受ける吊り構造とし、昇降ガイドレールに沿い昇降するフォーク状昇降リフトステージ１２と、固定した横行レールとフォーク状横行台車を有した複数段の格納スペースと、フォーク状横行台車とフォーク状昇降リフトステージ１２の間で車両を受け渡す中間乗り込み面２１下方近傍で昇降ガイドレールにより横行レールと同様に固定された昇降床用横行レール２４と、昇降床用横行レールに沿い移動可能で、車両が乗り込むときのフォーク状昇降リフトステージ下部に配置され、他の状態ではフォーク状昇降リフトステージと干渉しない位置に移動される昇降床２３を設けた。【選択図】図５
2018145616.tif 000002
【特許請求の範囲】
【請求項１】
既存の垂直循環式機械駐車装置で使用していた主要構成要素を撤去し、その後に、新たなリプレース型機械駐車装置を構成する機械駐車装置リプレース方法において、
前記既存の垂直循環式機械駐車装置で主要な構成要素を吊り下げていた既存の受部と同じ位置の受部を使用し、前記既存の垂直循環式機械駐車装置における構成要素を解体撤去した後に、前記受部で新設の主要な構成要素の荷重を受けるように吊り構造とし、前記主要な構成要素として吊り構造とした新設の昇降ガイドレールおよび新設の吊柱は、駐車車両の中間乗り込み面よりも下方にまで延びて配置し、吊り構造とした前記新設の昇降ガイドレールに沿って昇降するフォーク状昇降リフトステージと、吊り構造とした前記新設の吊柱を利用して昇降方向に形成した多段の格納スペースと、前記各格納スペースに配置されて前記フォーク状昇降リフトステージとの間で駐車車両を受け渡すフォーク状横行台車と、駐車車両が乗り込むときの前記フォーク状昇降リフトステージの下部に配置され、かつ、他の状態では前記フォーク状昇降リフトステージと干渉することのない位置に移動される昇降床を有することを特徴とする機械駐車装置リプレース方法。
【請求項２】
前記受部の上方部に、新設架台を搭載した後、前記新設架台に、前記昇降ガイドレールおよび前記吊柱の上方部をそれぞれ固定したことを特徴とする請求項１に記載の機械駐車装置リプレース方法。
【請求項３】
既存の垂直循環式機械駐車装置で使用していた主要な構成要素を撤去し、その後に、新たな機械駐車装置を構成するリプレース型機械駐車装置において、
前記既存の垂直循環式機械駐車装置で主要構成要素を吊り下げていた既存の受部と同じ位置の受部で、駐車車両の中間乗り込み面よりも下方にまで延びて配置した昇降ガイドレールおよび吊柱の荷重を受けるように吊り構造とし、前記昇降ガイドレールに沿って昇降するフォーク状昇降リフトステージと、前記吊柱および前記昇降ガイドレールを利用して固定した横行レールとフォーク状横行台車を配置した複数段の格納スペースと、前記フォーク状横行台車と前記フォーク状昇降リフトステージの間で駐車車両を受け渡しするように構成すると共に、前記中間乗り込み面の下方近傍で前記昇降ガイドレールによって前記横行レールと同様に固定された昇降床用横行レールと、前記昇降床用横行レールに沿って移動可能に構成され、かつ、駐車車両が乗り込むときの前記フォーク状昇降リフトステージの下部に配置され、また他の状態では前記フォーク状昇降リフトステージと干渉することのない位置に移動される昇降床を設けたことを特徴とするリプレース型機械駐車装置。
【請求項４】
前記受部の上部に新設架台を搭載し、前記新設架台に前記昇降ガイドレールおよび前記吊柱の上方向端部を固定して、前記受部で、前記昇降ガイドレール、前記吊柱および前記昇降床の荷重を受ける吊り構造としたことを特徴とする請求項３に記載のリプレース型機械駐車装置。
【発明の詳細な説明】
【技術分野】
【０００１】
本発明は、既存の垂直循環式機械駐車装置を更新する機械駐車装置リプレース方法およびリプレース型機械駐車装置に関する。
【背景技術】
【０００２】
従来のメリーゴーランド式駐車装置のような垂直循環式機械駐車装置として、特開２００６−１５５７９９号公報（特許文献１）、また従来のフォーク式機械駐車装置として、特開平７−３１７３６７号公報（特許文献２）に記載のものが知られている。
【０００３】
特許文献１には、前後に設けた上・下スプロケット間に巻掛けた前後の主務チェーンに適宜間隔で複数の吊持材を取着し、各々前後の対応する吊持材間に車両搭載用ケージを吊り下げて循環させるようにした駐車装置本体が鉄骨構造体内又は建物躯体内に組み込まれた既設の垂直循環式駐車装置における駐車装置本体を入れ替える改造方法であって、前記主務チェーンが係合する上・下スプロケットの噛み合い歯数を所定数減らして上・下スプロケットを小径にし、上スプロケットの軸芯位置を前記主務チェーンの巻掛けに適した位置まで上方に移動させ、該上・下スプロケットの軸芯位置から前記吊持材による車両搭載用ケージの吊り下げ位置までの距離を、既設の吊持材による車両搭載用ケージの吊り下げ位置とほぼ同一距離にして該車両搭載用ケージの上・下反転部における循環時の隅切り領域を小さくすることを特徴とする垂直循環式駐車装置の改造方法が記載されている。
【０００４】
特許文献２には、リフト昇降路の片側又は両側に上下複数の格納棚が設けられ、格納棚とリフト昇降路とに横行レールが設けられ、リフトの左右の２ブロックのフォークステージの第１フォークアームの基端が取り付けられた２本の支持レバーの対角線端部に取り付けた昇降杆を、ガイドレールに上下動可能に装着し、この昇降杆を上下動する昇降手段を設け、横行レールには各支持レバーの通過間隙が設けられていて、第１フォークアームとの間に車両を移載する第２フォークアームを具備した台車の横行車輪を移動可能に載置し、この台車の前記通過間隙を通過しない方の側部に歯付杆を取り付け、この歯付杆と係合する歯付ホイールを取り付けた横行モータを建屋側に設けたことを特徴とするフォーク式立体駐車装置が記載されている。
【先行技術文献】
【特許文献】
【０００５】
【特許文献１】特開２００６−１５５７９９号公報
【特許文献２】特開平７−３１７３６７号公報
【発明の概要】
【発明が解決しようとする課題】
【０００６】
しかしながら、特許文献１および特許文献２に記載されたように従来の機械駐車装置として、種々の構成のものが知られているが、その更新となると特許文献１に記載のように垂直循環式機械駐車装置は同じ種類の垂直循環式機械駐車装置に更新するものであった。ところが、メリーゴーランド式駐車装置のような垂直循環式機械駐車装置においては、歴史が長く、その分、老朽化も進んでいるため、老朽化した設備を更新したいという要求があるものの、当時存在していた部品製作会社がこの分野から撤退していて、部品調達面でのコストが下がらず、客先の設備更新計画が進まないのが現実である。
【０００７】
本発明の目的は、従来の垂直循環式機械駐車装置を大掛かりの構造変更を行うことなく、比較的容易に新たな機械駐車装置として更新することができるようにした機械駐車装置リプレース方法およびリプレース型機械駐車装置を提供することにある。
【課題を解決するための手段】
【０００８】
本発明は上記目的を達成するために、既存の垂直循環式機械駐車装置で使用していた主要構成要素を撤去し、その後に、新たなリプレース型機械駐車装置を構成する機械駐車装置リプレース方法において、前記既存の垂直循環式機械駐車装置で主要な構成要素を吊り下げていた既存の受部と同じ位置の受部を使用し、前記既存の垂直循環式機械駐車装置における構成要素を解体撤去した後に、前記受部で新設の主要な構成要素の荷重を受けるように吊り構造とし、前記主要な構成要素として吊り構造とした新設の昇降ガイドレールおよび新設の吊柱は、駐車車両の中間乗り込み面よりも下方にまで延びて配置し、吊り構造とした前記新設の昇降ガイドレールに沿って昇降するフォーク状昇降リフトステージと、吊り構造とした前記新設の吊柱を利用して昇降方向に形成した多段の格納スペースと、前記各格納スペースに配置されて前記フォーク状昇降リフトステージとの間で駐車車両を受け渡すフォーク状横行台車と、駐車車両が乗り込むときの前記フォーク状昇降リフトステージの下部に配置され、かつ、他の状態では前記フォーク状昇降リフトステージと干渉することのない位置に移動される昇降床を有することを特徴とする。
【０００９】
このような機械駐車装置リプレース方法によれば、既存の受部と同じ位置の受部を用いているため、従来の垂直循環式機械駐車装置を大掛かりの構造変更を行うことなく、しかも現在では調達できないような入手困難な部品によって再現しようとすることなく、比較的容易に新たなエレベーター・フォーク式機械駐車装置として更新することができる。しかも、フォーク状昇降リフトステージに搭載された駐車車両に出入りする運転手の足下を昇降床で覆うことができる。
【００１０】
また、本発明は上述のリプレース方法に加えて、前記受部の上方部に、新設架台を搭載した後、前記新設架台に、前記昇降ガイドレールおよび前記吊柱の上方部をそれぞれ固定したことを特徴とする。
【００１１】
このような機械駐車装置リプレース方法によれば、受部の上方部に配置した新たな新設架台を追加しているため、新設架台によって新設駆動部の位置をより上方にして、受部と新設駆動部間に位置するスペースも駐車車両の格納スペースとして利用することができるようになる。
本発明は上記目的を達成するために、既存の垂直循環式機械駐車装置で使用していた主要な構成要素を撤去し、その後に、新たな機械駐車装置を構成するリプレース型機械駐車装置において、前記既存の垂直循環式機械駐車装置で主要構成要素を吊り下げていた既存の受部と同じ位置の受部で、駐車車両の中間乗り込み面よりも下方にまで延びて配置した昇降ガイドレールおよび吊柱の荷重を受けるように吊り構造とし、前記昇降ガイドレールに沿って昇降するフォーク状昇降リフトステージと、前記吊柱および前記昇降ガイドレールを利用して固定した横行レールとフォーク状横行台車を配置した複数段の格納スペースと、前記フォーク状横行台車と前記フォーク状昇降リフトステージの間で駐車車両を受け渡しするように構成すると共に、前記中間乗り込み面の下方近傍で前記昇降ガイドレールによって前記横行レールと同様に固定された昇降床用横行レールと、前記昇降床用横行レールに沿って移動可能に構成され、かつ、駐車車両が乗り込むときの前記フォーク状昇降リフトステージの下部に配置され、また他の状態では前記フォーク状昇降リフトステージと干渉することのない位置に移動される昇降床を設けたことを特徴とする。
【００１２】
このようなリプレース型機械駐車装置によれば、既存の受部と同じ位置の受部２Ａ，２Ｂを用いているため、従来の垂直循環式機械駐車装置を大掛かりの構造変更を行うことなく、現在では調達できないような入手困難な部品によって再現しようとすることなく、簡単な構成のリプレース型機械駐車装置とすることができる。従って、製作技術の継続性が確保されるために品質的に安全なものとなる。しかも、フォーク状昇降リフトステージに搭載された状態の駐車車両に出入りする運転手の足下を昇降床で覆うことができる。
【００１３】
また、本発明は上述の構成に加えて、前記受部の上部に新設架台を搭載し、前記新設架台に前記昇降ガイドレールおよび前記吊柱の上方向端部を固定して、前記受部で、前記昇降ガイドレール、前記吊柱および前記昇降床の荷重を受ける吊り構造としたことを特徴とする。
【００１４】
このような構成によれば、受部の上方部に配置した新たな新設架台を追加しているため、新設架台によって新設駆動部の位置をより上方にして、受部と新設駆動部間に位置するスペースも駐車車両の格納スペースとして利用することができるようになる。また昇降床も含めて新設架台５によって吊り構造とした簡単な構造とすることができる。
【発明の効果】
【００１５】
本発明による機械駐車装置リプレース方法によれば、従来の垂直循環式機械駐車装置を大掛かりの構造変更を行うことなく、比較的容易に新たな機械駐車装置として更新することができる。しかも、フォーク状昇降リフトステージに搭載された駐車車両に出入りする運転手の足下を昇降床で覆うことができる。
【００１６】
また、本発明のリプレース型機械駐車装置によれば、従来の垂直循環式機械駐車装置を大掛かりの構造変更を行うことなく、比較的容易に新たな機械駐車装置として更新することができるようになる。しかも、フォーク状昇降リフトステージに搭載された状態の駐車車両に出入りする運転手の足下を昇降床で覆うことができる。
【図面の簡単な説明】
【００１７】
【図１】更新前の垂直循環式機械駐車装置を示す平面図である。
【図２】図１に示した垂直循環式機械駐車装置を示す断面図である。
【図３】本発明の一実施例による機械駐車装置リプレース方法による作業手順を示すフローチャートである。
【図４】受部の上部に新設架台を搭載した状態を示す断面図である。
【図５】リプレース型機械駐車装置における組み立て状態を示す断面図である。
【図６】図５に示したリプレース型機械駐車装置における組み立て状態を示す平面図である。
【発明を実施するための形態】
【００１８】
以下、本発明の実施例を図面に基づいて説明する。
【実施例１】
【００１９】
図１および図２は、本発明の一実施例による機械駐車装置リプレース方法を採用するリプレース前のビル組垂直循環式機械駐車装置の平面図および断面図である。
【００２０】
駐車場建屋１における中間上部には、対向する側壁内面側に内側へ突出したコンクリートブラケットなどの受部２Ａ，２Ｂが形成されている。既存のメリーゴーランド型駐車装置として知られる垂直循環式機械駐車装置３では、上述した一対の受部２Ａ，２Ｂ間に主要な構成要素の全てが吊り下げられている。垂直循環式機械駐車装置３の他の具体的な構成は、本発明と直接関係がないので説明を省略する。
【００２１】
図３は、本発明の一実施例による機械駐車装置リプレース方法による作業手順を示すフローチャートである。
【００２２】
先ずステップＳ１では、既存のメリーゴーランド型駐車装置として知られる垂直循環式機械駐車装置３の建屋内における主要な構成要素を解体し撤去する。ただし、既存の垂直循環式機械駐車装置３において主要な構成要素全体を支えていた一対の受部２Ａ，２Ｂは、更新後のリプレース型機械駐車装置においても同じ位置で使用される。続くステップＳ２では、受部２Ａ，２Ｂの上部に新設架台５を搭載し固定し、その後、ステップＳ３で新設架台５上に新設駆動部８を搭載する。
【００２３】
図４は、受部２Ａ，２Ｂの上部に新設架台５を搭載した状態を示す断面図である。
【００２４】
受部２Ａ，２Ｂに搭載された新設架台５は、図４に示すように受部２Ａの上面側に受部２Ａを上方から見た投影面内で載せられた下部水平部材５Ａと、上述した投影面内で下部水平部材５Ａを受部２Ａに固定する固定部材５Ｂと、最上部に位置された上部水平部材６と、上述した投影面内に配置されて下部水平部材５Ａと上部水平部材６の対向部間を結合する結合部材７などを有して構成されている。受部２Ｂ側においても同様の構成であり、最上部に配置された上部水平部材６は受部２Ａ，２Ｂ間を橋絡するように配置されている。
【００２５】
新設架台５は、種々の構成を採ることができるが、上部水平部材６を除いた下部水平部材５Ａ、固定部材５Ｂおよび結合部材７は受部２Ａ，２Ｂの対向側に余り突出しない。このような新設架台５とすると、図１に示した受部２Ａ，２Ｂの対向部間には、受部２Ａ，２Ｂよりも対向側に突出するものがなく、上部水平部材６よりも下方側に位置する部分を単なるスペースとすることができる。このスペースは、図４における受部２Ａ，２Ｂの下方側に位置する部分のスペースとほぼ同じで、受部２Ａ，２Ｂの近傍においても上下方向に連続した一連のスペースとすることができ、詳細を後述するように駐車スペースとして活用することができる。
【００２６】
ステップＳ３では、マシンビーム９上に構成された新設駆動部８を搭載し、新設架台５の上部水平部材６上にマシンビーム９を固定する。こうして新設駆動部８は、新設架台５によって受部２Ａ，２Ｂよりも可成り上方部にまで持ち上げられており、新設駆動部８や上部水平部材６の下方に形成されることになる駐車スペースを高さ方向に増大することができる。
【００２７】
取り付け位置を変更しない受部２Ａ，２Ｂが駐車場建屋１の中間上部に形成されているため、新設架台５を配置した部分が駐車スペースとして活用できないと、駐車台数が減少してしまう。しかし、このような駐車スペースの形成によって、受部２Ａ，２Ｂの位置を変更しないことによる高さ方向の制限を十分に補うことができる。
【００２８】
上述したように図２に示した既存の垂直循環式機械駐車装置３において、受部２Ａ，２Ｂは、主要な構成要素の総荷重を受けて全体を吊り下げるように使用されていた。更新後のリプレース型機械駐車装置においても同じ位置で受部２Ａ，２Ｂを使用し、後述するように更新後のリプレース型機械駐車装置における主要な構成要素の総荷重を同様に受けるようにしている。このため、リプレース型機械駐車装置においても受部２Ａ，２Ｂを使用した全体的な荷重点は変化していない。
【００２９】
図５および図６は、リプレース型機械駐車装置における組み立て状態を示す断面図および平面図である。
【００３０】
図３によれば、次のステップＳ４では、新設架台５に昇降ガイドレール１０Ａ〜１０Ｄおよび吊柱１１Ａ〜１１Ｄを固定して吊り下げる吊り下げ作業を行う。特に、図６に示すように昇降ガイドレール１０Ａ〜１０Ｄは、後述するフォーク状昇降リフトステージ１２の昇降動作を案内するものであり、また吊柱１１Ａ〜１１Ｄは、後述するフォーク状横行台車１９を横送りするための支持部材として使用されるものである。
【００３１】
図６の平面図に示すように昇降ガイドレール１０Ａ，１０Ｂは、受部２Ａの対向側である内側近傍に所定距離を隔てて対向配置されている。また、昇降ガイドレール１０Ｃ，１０Ｄは、受部２Ｂの内側近傍に所定距離を隔てて同様に対向配置されている。このため、受部２Ａ，２Ｂの対向部間には後述するフォーク状昇降リフトステージ１２を構成するためのスペースを確保することができる。
【００３２】
各昇降ガイドレール１０Ａ〜１０Ｄの上端部は、図５に示すように受部２Ａ，２Ｂ上に搭載した新設架台５の上部水平部材６に固定され、吊り下げられている。受部２Ａ，２Ｂの上方部に上部水平部材６を有する新設架台５が搭載されているため、各昇降ガイドレール１０Ａ〜１０Ｄを受部２Ａ，２Ｂと干渉しない位置に配置しても、その上端部を上部水平部材６に固定することができる。また新設架台５が受部２Ａ，２Ｂ上に搭載されているため、各昇降ガイドレール１０Ａ〜１０Ｄの荷重は、新設架台５を介して受部２Ａ，２Ｂで受けることになる。
【００３３】
ここで、昇降ガイドレール１０Ａ〜１０Ｄは、受部２Ａ，２Ｂを挟んで昇降ガイドレール１０Ａ，１０Ｃと昇降ガイドレール１０Ｂ，１０Ｄに分散されて駐車場建屋１の中央部付近に配置されている。昇降ガイドレール１０Ａ〜１０Ｄによって案内されるフォーク状昇降リフトステージ１２は、詳細を後述するが図６に示すように駐車車両を搭載して昇降移動させるために使用されるため、それなりの大きさを有している。この大きさを確保しながら、同時に、駐車場建屋１の両側にそれぞれ駐車スペース１３Ａ，１３Ｂが形成されている。
【００３４】
昇降ガイドレール１０Ａ，１０Ｂの外側で駐車スペース１３Ａに相当する位置の両側には、吊柱１１Ａ，１１Ｃが配置されている。同様に、昇降ガイドレール１０Ｃ，１０Ｄの外側で駐車スペース１３Ｂに相当する位置の両側には、一対の吊柱１１Ｂ，１１Ｄが配置されている。従って、図６に示すように昇降ガイドレール１０Ａ，１０Ｂと吊柱１１Ａと吊柱１１Ｂは、ほぼ同一仮想水直面上に位置しており、昇降ガイドレール１０Ｃ，１０Ｄと吊柱１１Ｃと吊柱１１Ｄは、ほぼ他の同一仮想水直面上に位置している。
【００３５】
各吊柱１１Ａ〜１１Ｄの上端部は、図５に示したように各昇降ガイドレール１０Ａ〜１０Ｄと同様に、受部２Ａ，２Ｂ上に搭載した新設架台５の上部水平部材６に固定され、ほぼ垂直に吊り下げられている。
【００３６】
ここで駐車場建屋１には、駐車車両が乗り込むことになる中間乗り込み面２１が最下部ではなく中間階に形成されている。それでも各昇降ガイドレール１０Ａ〜１０Ｄおよび各吊柱１１Ａ〜１１Ｄは、中間乗り込み面２１の下方部にまで延びて構成されている。
【００３７】
受部２Ａ，２Ｂの上方部に上部水平部材６を有する新設架台５が搭載されているため、各昇降ガイドレール１０Ａ〜１０Ｄと同様に、各吊柱１１Ａ〜１１Ｄを受部２Ａ，２Ｂと干渉しない位置に配置しても、その上端部を上部水平部材６に固定することができる。また新設架台５が受部２Ａ，２Ｂ上に搭載されているため、各吊柱１１Ａ〜１１Ｄの荷重も、新設架台５を介して受部２Ａ，２Ｂで受けられることになる。
【００３８】
続くステップＳ５では、上述した二つの仮想水直面上の配置関係を利用して、同じ水平面上でほぼ水平に配置された複数の横行レール１４Ａ〜１４Ｎが取り付けられる。これらの各横行レール１４Ａ〜１４Ｎは、昇降ガイドレール１０Ａ，１０Ｂおよび吊柱１１Ａ，１１Ｂの長手方向に沿って、駐車車両の車高を考慮した寸法を隔てて分散配置されて、多段の格納スペースを形成することになる。図５では、受部２Ａ側の構成のみが示されているが、受部２Ｂ側でも同様に構成されている。しかし、駐車場建屋１の中間乗り込み面２１には駐車車両の格納スペースを形成することになる横行レールが配置されず、代わりに中間床面部材２２が構成されている。
【００３９】
一方、中間乗り込み面２１より下方では、各横行レール１４Ｍ，１４Ｎが昇降ガイドレール１０Ａ，１０Ｂおよび吊柱１１Ａ，１１Ｂに固定されて、駐車車両のための格納スペースが形成されている。他の受部２Ｂ側でも同様に構成されている。
【００４０】
上述したように昇降ガイドレール１０Ａ，１０Ｂおよび吊柱１１Ａ，１１Ｂは、ほぼ同一仮想垂直平面上に配置されているため、横行レール１４Ａ〜１４Ｎもまたほぼ同一仮想垂直面上に位置し、受部２Ａ，２Ｂ間の限られた寸法内に横行台車１９の横移動のために必要なスペースが確保されている。
【００４１】
続くステップＳ６では、カウンターウエイト１５Ａ，１５Ｂが搬入され、ステップＳ７では、図５に示すように昇降アーム１６およびフォーク状昇降リフトステージ１２の据え付け作業が行われる。これらの搬入作業は、中間乗り込み面２１から行われ、カウンターウエイト１５Ａ，１５Ｂは図５の右方の奥側に搬入され、昇降ガイドレール１０Ａ，１０Ｂの下方部に昇降アーム１６およびフォーク状昇降リフトステージ１２が設置される。
【００４２】
ステップＳ８では、主索（チェーンまたはワイヤーロープ）１８の取り付け作業が実施される。
【００４３】
図５に示すように既に設置されている新設駆動部８には、両受部２Ａ，２Ｂのそれぞれの上方部付近に配置された各シーブまたは歯車などが設けられており、受部２Ａ側に配置されたシーブまたは歯車には主索１８が掛けられている。この主索１８の一方の端部はカウンターウエイト１５Ａのプーリまたは歯車に掛けた後にマシンビーム９に固定されている。主索１８の他方側の端部は、詳細な図示を省略しているがフォーク状昇降リフトステージ１２に固定される。
【００４４】
図６に示した受部２Ｂ側でも同様に図示しない主索が設けられ、その一端部は他のカウンターウエイト１５Ｂのプーリまたは歯車に掛けた後にマシンビーム９に固定され、他方側の端部はフォーク状昇降リフトステージ１２に固定される。
【００４５】
ステップＳ９では、各横行レール１４Ａ〜１４Ｎの左右にはフォーク状横行台車１９Ａ〜１９Ｎが設置される。各フォーク状横行台車１９Ａ〜１９Ｎは、図６に示すようにフォーク状昇降リフトステージ１２と対を成すようなフォーク式として構成され、各横行レール１４Ａ〜１４Ｎに沿ってそれぞれ回転するガイドローラの助けを受けながら水平方向に移動可能に構成されている。
【００４６】
その後、ステップＳ１０では、横行モータ２０などの据え付け作業を行う。この横行モータ２０は、図６に示すように例えば横行レール１４Ａに沿って配置され、その回転をチェーンなどによってフォーク状横行台車１９に伝達するものである。横行モータ２０を一方向に回転させると、フォーク状横行台車１９を上述したガイドローラによって移動させてフォーク状昇降リフトステージ１２と重なる位置へ移動させることができる。一方、横行モータ２０を他方向に回転させると、フォーク状横行台車１９を上述したガイドローラによって移動させてフォーク状横行台車１９を図示に格納スペースへと戻すことができる。
【００４７】
このような構成は、図５における他の各横行レール１４Ｂ〜１４Ｎについても同様であり、また図５および図６における右方側の構成においても同様である。
【００４８】
この時点では、各昇降ガイドレール１０Ａ〜１０Ｄおよび各吊柱１１Ａ〜１１Ｄの長手方向に多段に駐車スペースが形成される。例えば、横行レール１４Ｃを有した格納スペースでは、一対の横行レール１４Ｃが仮想水平面上で対向配置され、かつ各昇降ガイドレール１０Ａ〜１０Ｄおよび各吊柱１１Ａ〜１１Ｄへ固定される。図示の実施例では、中間乗り込み面２１の上方部に６段の格納スペースが形成され、中間乗り込み面２１の下方部に２段の格納スペースが形成されている。
【００４９】
続くステップＳ１１では、昇降床２３の据え付けを行う。
【００５０】
昇降床２３は、先ず、中間乗り込み面２１に設けられた中間床面部材２２の下方部に、横行レールと同様に各昇降ガイドレール１０Ａ〜１０Ｄに固定された一対の昇降床用横行レール２４に沿って往復動可能に構成されている。
【００５１】
昇降床２３は、フォーク状昇降リフトステージ１２上に駐車車両が搭載されるとき、その駐車車両の下部に位置するように水平移動し、他のタイミングでは、ガイドレール１０Ａ〜１０Ｄで囲まれた領域から、その外側で格納スペースに対応するものの空スペース２５内に水平移動可能に構成されている。このため、昇降ガイドレール１０Ａ〜１０Ｄで囲まれた領域に相当するフォーク状昇降リフトステージ１２の移動のために存在している開口部は、駐車車両のすぐ下部に位置した昇降床２３によってほぼ塞がれる。
【００５２】
このような昇降床２３を設置すると、駐車車両から降りてくる運転手が物を落下させたとしても昇降床２３で受け止めたり、フォーク状昇降リフトステージ１２上に搭載された駐車車両の運転手が下方を直接的に見ることによる不安感を解消したりするように昇降床２３で視界を遮ることができる。
【００５３】
さらに昇降床２３は、その上部に上下動することができる上部材２３Ａを有している。この上部材２３Ａは、図５のように各昇降ガイドレール１０Ａ，１０Ｂ間に位置した状態で、中間床面部材２２とほぼ同一レベルとなるように上げられるように制御されている。しかし、上部材２３Ａは、図５の位置から左方側の格納スペースに相当する空スペース２５側に移動するとき、また空スペース２５側から図５の位置まで移動するときは、中間床面部材２２よりも下げた状態となるように制御されている。
【００５４】
このため、昇降床２３は、駐車場建屋１の図示しない出入口から乗り込まれた駐車車両を機械式駐車装置側に受け入れるとき、予め、図５に示す位置まで移動されて待機している。その後、駐車車両の運転手は、駐車車両を運転して出入口からフォーク状昇降リフトステージ１２に乗り込ませる。その後、運転手は、駐車車両から降りるが、フォーク状昇降リフトステージ１２だけの構成とは異なり、足下が昇降床２３によって遮られている。従って、下方の底部分が見えることによる不安感を抱くことがなく、鍵などを落としたとしても昇降床２３で受け止めることができる。
【００５５】
この昇降床２３の設置によって、同部近傍にターンテーブル装置を設置することができないので、駐車場建屋１の出入口に外置きのターンテーブル装置を設置するのが望ましい。このとき、駐車車両の入庫時には前進運転、出庫時にはバック運転となるが、この出庫時に外置きのターンテーブル装置によって方向転換を行うことができる。
【００５６】
ここまでの各作業によって、新設部品の据え付けは完了する。この完了状態で、既設の垂直循環式機械駐車装置は、リプレース型機械駐車装置、つまりエレベーター・フォーク式機械駐車装置として更新される。搬入された各新設部品、つまり、新設架台５と、新設駆動部８と、昇降ガイドレール１０Ａ，１０Ｂと、吊柱１１Ａ，１１Ｂと、フォーク状昇降リフトステージ１２と、横行レール１４Ａ〜１４Ｎと、カウンターウエイト１５Ａ，１５Ｂと、昇降アーム１６と、フォーク状横行台車１９Ａ〜１９Ｎ、昇降床２３などの主要な構成要素は、最終的に受部２Ａ，２Ｂで荷重が受けられる。また昇降床２３が追加されているが、ターンテーブル装置のように旋回させる構成ではなく、かつ、駐車車両を搭載するものではないので、小型軽量であり、各昇降ガイドレール１０Ａ〜１０Ｄに固定しても吊り荷重を極端に増大することはない。
【００５７】
これは今回の更新前に、既存の垂直循環式機械駐車装置において受部２Ａ，２Ｂにより、主要な構成要素の総荷重を受けて全体を吊り下げていた構成と殆ど同じである。
【００５８】
その後、ステップＳ１２では、各電気機器における配線作業や、制御盤との接続作業などが実施される。ステップＳ１３では、試運転、調整を行い性能確認が行われる。次いで、ステップＳ１４では、塗装、仕上げ工事が実施される。
【００５９】
このような構成のエレベーター・フォーク式機械駐車装置は、図５に示した中間乗り込み面２１から進入した駐車車両をフォーク状昇降リフトステージ１２上に搭載させ、所定の格納スペース、例えば、横行レール１４Ｃを有した階の左方側に形成された格納スペースに格納させる場合は、次のように行われる。新設駆動部８を駆動させると、主索１８を介してフォーク状昇降リフトステージ１２が上方へと移動される。このときフォーク状昇降リフトステージ１２は、昇降ガイドレール１０Ａ〜１０Ｄによって案内される。
【００６０】
その後、フォーク状昇降リフトステージ１２を横行レール１４Ｃよりも多少上方位置まで上昇させて停止させ、横行モータ２０を駆動させて同じ格納スペースに配置されたフォーク状横行台車１９Ｃをフォーク状昇降リフトステージ１２の下側に移動させる。その後、フォーク状昇降リフトステージ１２を下方へと移動させると、フォーク状昇降リフトステージ１２はフォーク状横行台車１９Ｃの下方側へと移動するが、駐車車両はフォーク状昇降リフトステージ１２からフォーク状横行台車１９Ｃに載せ換えられる。その後、横行モータ２０を駆動させて、駐車車両を載せ替えたフォーク状横行台車１９Ｃを横行レール１４Ｃに沿って図５の左方へと移動すると、格納スペースに格納された状態となる。尚、他の階または右方側の駐車スペース１３Ｂに格納する場合も、同様に行う。
【００６１】
図示の望ましい実施例によれば、フォーク状昇降リフトステージ１２を昇降案内する昇降ガイドレール１０Ａ，１０Ｂの両側に、ほぼ同一垂直面上に配置された吊柱１１Ａ，１１Ｂを設け、昇降ガイドレール１０Ｃ，１０Ｄの両側に、他の同一垂直面上に配置された吊柱１１Ｃ，１１Ｄを設けている。これらの垂直平面毎に、フォーク状昇降リフトステージ１２上に搭載された駐車車両と重なる位置から駐車車両の収納位置間で両側には位置した各フォーク状横行台車１９Ａ〜１９Ｎを横方向に移動案内する横行レール１４Ａ〜１４Ｎを固定している。
【００６２】
このため、フォーク状横行台車１９Ａ〜１９Ｎは昇降ガイドレール１０Ａ〜１０Ｄの両側に駐車スペースを形成することができ、効率的に駐車車両を収納することができる。しかも現在では調達できないような部品によって再現することなく、比較的容易に新たなリプレース式機械駐車装置として更新することができる。
【００６３】
このようなリプレース機械式駐車装置によれば、車高の異なる数種類の駐車車両を駐車できるようにする場合でも、各横行レール１４Ａ〜１４Ｎ間の間隔を容易に調整して対応させることができる。
【００６４】
尚、上述した実施例では、既存の垂直循環式機械駐車装置で主要な構成要素を吊り下げていた既存のコンクリートブラケットを受部２Ａ，２Ｂとしたが、コンクリートブラケットに限らず駆動部受梁やその他部材を受部２Ａ，２Ｂとした構成にも適用することができる。
【００６５】
このような機械駐車装置リプレース方法およびリプレース型機械駐車装置によれば、既存の受部と同じ位置の受部２Ａ，２Ｂを用いて、例えば、既存のメリーゴーランド型駐車装置として知られる垂直循環式機械駐車装置３を更新する場合、新たな部品を調達して同型のメリーゴーランド型駐車装置である垂直循環式機械駐車装置とするのではなく、エレベーター・フォーク式機械駐車装置に更新するため、大掛かりの構造変更を行うことなく、しかも現在では調達が難しい部品を使用することなく、比較的容易に新たな機械駐車装置として更新することができる。また、既存の垂直循環式機械駐車装置に比べて振動および騒音を低減することができる。
【００６６】
特に、既存の垂直循環式機械駐車装置ではコンクリートブラケットなどによって形成された受部２Ａ，２Ｂで総荷重を吊っている構造である。従って、通常のエレベーター式機械駐車場のように下から支持する構造では、荷重点が変わってしまい大きな構造変更になってしまう。しかし、既存の垂直循環式機械駐車装置で使用していたのと同じ位置の受部２Ａ，２Ｂで総荷重を吊ったエレベーター・フォーク式機械駐車装置に更新する機械駐車装置リプレース方法およびリプレース型機械駐車装置によれば、荷重点を変えることなく簡単に更新することができる。
【００６７】
さらに昇降床２３は、フォーク状昇降リフトステージ１２上に駐車車両が搭載されるとき、その駐車車両の下部に位置するように水平移動し、他のタイミングでは、ガイドレール１０Ａ〜１０Ｄで囲まれた領域から、その外側で格納スペースに対応するものの空スペース２５内に水平移動可能に構成されている。このため、昇降ガイドレール１０Ａ〜１０Ｄで囲まれた領域に相当するフォーク状昇降リフトステージ１２の移動のために存在している開口部は、駐車車両に出入りする運転手のために駐車車両のすぐ下部に位置した昇降床２３によってほぼ塞ぐことができる。
【００６８】
以上説明したように本発明による機械駐車装置リプレース方法は、既存の垂直循環式機械駐車装置で主要な構成要素を吊り下げていた既存の受部と同じ位置の受部２Ａ，２Ｂを使用し、既存の垂直循環式機械駐車装置における構成要素を解体撤去した後に、受部２Ａ，２Ｂで新設の主要な構成要素の荷重を受けるように吊り構造とし、主要な構成要素として吊り構造とした新設の昇降ガイドレール１０Ａ〜１０Ｄおよび新設の吊柱１１Ａ〜１１Ｄは、駐車車両の中間乗り込み面２１よりも下方にまで延びて配置し、吊り構造とした新設の昇降ガイドレール１０Ａ〜１０Ｄに沿って昇降するフォーク状昇降リフトステージ１２と、吊り構造とした新設の吊柱１１Ａ〜１１Ｄを利用して昇降方向に形成した多段の格納スペースと、各格納スペースに配置されてフォーク状昇降リフトステージ１２との間で駐車車両を受け渡すフォーク状横行台車１９Ａ〜１９Ｎと、駐車車両が乗り込むときの前記フォーク状昇降リフトステージ１２の下部に配置され、かつ、他の状態では前記フォーク状昇降リフトステージ１２と干渉することのない位置に移動される昇降床２３を有することを特徴とする。
【００６９】
このような機械駐車装置リプレース方法によれば、既存の受部と同じ位置の受部２Ａ，２Ｂを用いているため、従来の垂直循環式機械駐車装置を大掛かりの構造変更を行うことなく、しかも現在では調達できないような入手困難な部品によって再現しようとすることなく、比較的容易に新たなエレベーター・フォーク式機械駐車装置として更新することができる。従って、コストが下がるために客先の設備更新計画が進みやすくなる。しかも、フォーク状昇降リフトステージ１２に搭載された駐車車両に出入りする運転手の足下を昇降床２３で覆うことができる。
【００７０】
また本発明は上述の機械駐車装置リプレース方法に加えて、受部２Ａ，２Ｂの上方部に、新設架台５を搭載した後、新設架台５に、昇降ガイドレール１０Ａ〜１０Ｄと吊柱１１Ａ〜１１Ｄの上方部をそれぞれ固定したことを特徴とする。
【００７１】
このような機械駐車装置リプレース方法によれば、受部２Ａ，２Ｂの上方部に配置した新たな新設架台５を追加しているため、新設架台５によって新設駆動部８の位置をより上方にして、受部２Ａ，２Ｂと新設駆動部８間に位置するスペースも駐車車両の格納スペースとして利用することができるようになる。
【００７２】
また本発明のリプレース型機械駐車装置は、既存の垂直循環式機械駐車装置で使用していた主要な構成要素を撤去し、その後に、新たな機械駐車装置を構成するリプレース型機械駐車装置において、既存の垂直循環式機械駐車装置で主要構成要素を吊り下げていた既存の受部と同じ位置の受部２Ａ，２Ｂで、駐車車両の中間乗り込み面２１よりも下方にまで延びて配置した昇降ガイドレール１０Ａ〜１０Ｄおよび吊柱１１Ａ〜１１Ｄの荷重を受けるように吊り構造とし、昇降ガイドレール１０Ａ〜１０Ｄに沿って昇降するフォーク状昇降リフトステージ１２と、吊柱１１Ａ〜１１Ｄおよび昇降ガイドレール１０Ａ，１０Ｂを利用して固定した横行レール１４Ａ〜１４Ｎとフォーク状横行台車１９Ａ〜１９Ｎを有した複数段の格納スペースと、フォーク状横行台車１９Ａ〜１９Ｎとフォーク状昇降リフトステージ１２の間で駐車車両を受け渡しするように構成すると共に、中間乗り込み面２１の下方近傍で昇降ガイドレール１０Ａ〜１０Ｄによって横行レール１４Ａ〜１４Ｎと同様に固定された昇降床用横行レール２４と、昇降床用横行レール２４に沿って移動可能に構成され、かつ、駐車車両が乗り込むときのフォーク状昇降リフトステージ１２の下部に配置され、また他の状態ではフォーク状昇降リフトステージ１２と干渉することのない位置に移動される昇降床２３を設けたことを特徴とする。
【００７３】
このような構成によれば、既存の受部と同じ位置の受部２Ａ，２Ｂを用いているため、従来の垂直循環式機械駐車装置を大掛かりの構造変更を行うことなく、現在では調達できないような入手困難な部品によって再現しようとすることなく、簡単な構成のリプレース型機械駐車装置とすることができる。従って、製作技術の継続性が確保されるために品質的に安全なものとなる。また、現地工事期間が短くなるために、客先の代替駐車場の費用を安く抑えられる。しかも、フォーク状昇降リフトステージ１２に搭載された状態の駐車車両に出入りする運転手の足下を昇降床２３で覆うことができる。
【００７４】
また本発明は上述の構成に加えて、受部２Ａ，２Ｂの上部に新設架台５を搭載し、この新設架台５に昇降ガイドレール１０Ａ〜１０Ｄおよび吊柱１１Ａ〜１１Ｄの上方向端部を固定して、受部２Ａ，２Ｂで、昇降ガイドレール１０Ａ〜１０Ｄ、吊柱１１Ａ〜１１Ｄおよび昇降床２３の荷重を受けるように吊り構造としたことを特徴とする。
【００７５】
このような構成によれば、受部２Ａ，２Ｂの上方部に配置した新たな新設架台５を追加しているため、新設架台５によって新設駆動部８の位置をより上方にして、受部２Ａ，２Ｂと新設駆動部８間に位置するスペースも駐車車両の格納スペースとして利用することができるようになる。また昇降床２３も含めて新設架台５によって吊り構造とした簡単な構造とすることができる。
【符号の説明】
【００７６】
２Ａ，２Ｂ  受部
５    新設架台
１０Ａ，１０Ｂ昇降ガイドレール
１１Ａ，１１Ｂ  吊柱
１２  フォーク状昇降リフトステージ
１４Ａ〜１４Ｎ  横行レール
１９Ａ〜１９Ｎ  フォーク状横行台車
２１  中間乗り込み面
２２  ターンテーブル装置
２３  昇降床
２４  昇降床用横行レール
【図１】
2018145616.tif 000003
【図２】
2018145616.tif 000004
【図３】
2018145616.tif 000005
【図４】
2018145616.tif 000006
【図５】
2018145616.tif 000007
【図６】
2018145616.tif 000008